(57)【要約】【課題】対象物の寸法を簡易かつ効率的に提示することが可能な投写装置等を提供すること。【解決手段】投写装置１０が、対象物に対するフォーカスが調整された状態におけるフォーカス調整値に基づき、寸法を示すものさし画像を投写するための画像情報を生成する画像情報生成部１７０と、前記画像情報に基づき、前記ものさし画像を前記対象物へ向け投写する投写部１９０とを含んで構成される。【選択図】図３
2007205915.tif 000002
【特許請求の範囲】
【請求項１】
対象物に対するフォーカスが調整された状態におけるフォーカス調整値に基づき、寸法を示すものさし画像を投写するための画像情報を生成する画像情報生成部と、
前記画像情報に基づき、前記ものさし画像を前記対象物へ向け投写する投写部と、
を含むことを特徴とする投写装置。
【請求項２】
請求項１に記載の投写装置において、
前記画像情報生成部は、前記フォーカス調整値に基づき、前記投写部から前記対象物までの距離を把握し、当該距離に基づいて前記寸法を調整して前記画像情報を生成することを特徴とする投写装置。
【請求項３】
請求項２に記載の投写装置において、
前記投写部は、前記距離に基づいて前記ものさし画像の明るさを調整して投写することを特徴とする投写装置。
【請求項４】
請求項１〜３のいずれかに記載の投写装置において、
前記画像情報生成部は、前記フォーカス調整値と、前記投写部の画角調整値とに基づき、前記画像情報を生成することを特徴とする投写装置。
【請求項５】
請求項１〜４のいずれかに記載の投写装置において、
前記ものさし画像は、複数の異なる方向の寸法を同時に示す画像であることを特徴とする投写装置。
【請求項６】
投写部を有する投写装置のコンピュータを、
対象物に対するフォーカスが調整された状態におけるフォーカス調整値に基づき、寸法を示すものさし画像を投写するための画像情報を生成する画像情報生成部と、
前記画像情報に基づき、前記ものさし画像を前記対象物へ向け前記投写部に投写させる投写制御部として機能させることを特徴とするプログラム。
【請求項７】
請求項６に記載のプログラムを記憶した、コンピュータ読み取り可能な情報記憶媒体。
【発明の詳細な説明】
【技術分野】
【０００１】
本発明は、投写装置、プログラムおよび情報記憶媒体に関する。
【背景技術】
【０００２】
一般的に、棚等の大きな物の寸法を測定する場合、ユーザーが巻き尺等を用いて測定するが、自分の背丈よりも大きな物を測定することは困難である。
【０００３】
例えば、特許文献１では、被写体の３次元位置情報を活用することを目的として、撮像部によって得られた被写体までの距離データを３次元位置情報として用いることにより、実際の寸法を示すスケール画像を生成し、当該スケール画像を被写体の画像と合成して表示する画像処理装置（カメラ）が記載されている。
【特許文献１】特開２００１−２０９８２７号公報
【発明の開示】
【発明が解決しようとする課題】
【０００４】
しかし、特許文献１の手法では、被写体を撮像したり、画像を合成したりする必要があり、画像処理負荷が大きい。
【０００５】
また、特許文献１では、上述した大きな物を測定する場合の困難さが考慮されておらず、大きな物を測定する場合の利便性に欠ける。
【０００６】
本発明の目的は、対象物の寸法を簡易かつ効率的に提示することが可能な投写装置、プログラムおよび情報記憶媒体を提供することにある。
【課題を解決するための手段】
【０００７】
上記課題を解決するため、本発明に係る投写装置は、対象物に対するフォーカスが調整された状態におけるフォーカス調整値に基づき、寸法を示すものさし画像を投写するための画像情報を生成する画像情報生成部と、
前記画像情報に基づき、前記ものさし画像を前記対象物へ向け投写する投写部と、
を含むことを特徴とする。
【０００８】
また、本発明に係るプログラムは、投写部を有する投写装置のコンピュータを、
対象物に対するフォーカスが調整された状態におけるフォーカス調整値に基づき、寸法を示すものさし画像を投写するための画像情報を生成する画像情報生成部と、
前記画像情報に基づき、前記ものさし画像を前記対象物へ向け前記投写部に投写させる投写制御部として機能させることを特徴とする。
【０００９】
また、本発明に係る情報記憶媒体は、コンピュータ読み取り可能な情報記憶媒体であって、上記プログラムを記憶したことを特徴とする。
【００１０】
本発明によれば、投写装置は、対象物へ向けものさし画像を投写することにより、対象物の寸法を簡易かつ効率的に提示することができる。
【００１１】
また、前記画像情報生成部は、前記フォーカス調整値に基づき、前記投写部から前記対象物までの距離を把握し、当該距離に基づいて前記寸法を調整して前記画像情報を生成してもよい。
【００１２】
これによれば、投写装置は、対象物までの距離に基づいて寸法が調整されたものさし画像を投写することにより、対象物の寸法を簡易かつ効率的に提示することができる。
【００１３】
また、前記投写部は、前記距離に基づいて前記ものさし画像の明るさを調整して投写してもよい。
【００１４】
これによれば、投写装置は、対象物までの距離に基づいて明るさが調整されたものさし画像を投写することにより、より見やすいものさし画像を投写することができる。
【００１５】
また、前記画像情報生成部は、前記フォーカス調整値と、前記投写部の画角調整値とに基づき、前記画像情報を生成してもよい。
【００１６】
これによれば、投写装置は、画角調整値に基づいて画像情報を生成することにより、ズーム投写が行われた場合であっても、対象物の寸法を正確に提示することができる。
【００１７】
また、前記ものさし画像は、複数の異なる方向の寸法を同時に示す画像であってもよい。
【００１８】
これによれば、投写装置は、複数の異なる方向の寸法を同時に提示することができるため、対象物の寸法を効率的に提示することができる。
【発明を実施するための最良の形態】
【００１９】
以下、本発明を投写装置に適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２０】
図１は、本実施例における対象物である棚２０を示す図である。
【００２１】
ユーザーは、例えば、棚２０の大きさを測定する場合、棚２０の正面から投写装置を用いてものさし画像を投写する。
【００２２】
図２は、本実施例における棚２０にものさし画像３０が投写された状態を示す図である。
【００２３】
例えば、ものさし画像３０は、左上の頂点から右方向に向かって２０ｃｍごとに寸法を示す目盛りが表示され、左上の頂点から下方向に向かって２０ｃｍごとに寸法を示す目盛りが表示される画像である。
【００２４】
図２に示すように、ものさし画像３０のうち棚２０と重なる部分は目盛りが明確に表示される。しかも、縦方向と横方向の目盛りが同時に表示されるため、ユーザーは、棚２０の縦と横の長さを一目で把握することができる。
【００２５】
次に、このような機能を実装するための投写装置１０の機能ブロックについて説明する。
【００２６】
図３は、本実施例における投写装置１０の機能ブロック図である。
【００２７】
投写装置１０は、対象物に対するフォーカスが調整された状態におけるフォーカス調整値に基づき、寸法を示すものさし画像３０を投写するための画像情報を生成する画像情報生成部１７０と、画像情報に基づき、ものさし画像３０を対象物へ向け投写する投写部１９０とを含んで構成されている。
【００２８】
また、投写部１９０は、空間光変調器１９２、空間光変調器１９２を駆動する駆動部１９４、光源１９６、レンズ１９８、レンズ１９８のフォーカスを制御してフォーカス調整値を出力するフォーカス制御部１９７、レンズ１９８の画角を制御して画角調整値を出力する画角制御部１９９とを含んで構成されている。
【００２９】
また、投写装置１０は、ユーザーの操作情報を入力する操作部１８０と、ものさし画像３０を投写するための画像データを記憶する記憶部１６０とを含んで構成されている。
【００３０】
なお、上述した各部の機能を実装するためのハードウェアとしては例えば以下のものを採用可能である。例えば、操作部１８０としては、ボタン、入出力ポート等、画像情報生成部１７０としては、ＣＰＵ、画像処理回路等、記憶部１６０としてはＲＯＭ等、投写部１９０としては液晶パネル、ドライバ等を採用可能である。
【００３１】
また、画像情報生成部１７０、投写部１９０の投写を制御する投写制御部として投写装置１０のコンピュータを機能させるためのプログラムを記憶した情報記憶媒体２００から投写装置１０が当該プログラムを読み取って画像情報生成部１７０等の機能を実装してもよい。
【００３２】
なお、情報記憶媒体２００としては、例えば、ＣＤ−ＲＯＭ、ＤＶＤ−ＲＯＭ、ＩＣカード、ＲＯＭ、ＲＡＭ、メモリカード、ＨＤＤ等のレーザーや磁気等を用いた記憶媒体を適用できる。また、情報記憶媒体２００からのプログラムの読み取り方式は、接触式でも非接触式でもよい。
【００３３】
次に、画像情報生成部１７０等を用いたものさし画像投写処理の流れについて説明する。
【００３４】
図４は、本実施例におけるものさし画像投写処理の流れを示すフローチャートである。
【００３５】
画像情報生成部１７０は、記憶部１６０に記憶されたフォーカス調整用画像データに基づき、フォーカス調整用画像情報を生成し、投写部１９０は、当該フォーカス調整用画像情報に基づき、フォーカス調整用画像を投写する（ステップＳ１）。
【００３６】
フォーカス制御部１９７は、手動または自動によってレンズ１９８のフォーカスを制御し、フォーカスが調整された状態のフォーカス調整値を画像情報生成部１７０に出力する。また、画角制御部１９９は、画角調整値を画像情報生成部１７０に出力する。なお、画角調整値はズーム投写が行われる場合に変化する。
【００３７】
画像情報生成部１７０は、フォーカス調整値、画角調整値に基づき、ものさし画像３０を投写するための画像情報を生成する（ステップＳ２）。より具体的には、画像情報生成部１７０は、フォーカス調整値、画角調整値と、記憶部１６０に記憶されたフォーカス調整値および画角調整値と投写距離との関係を示すテーブルに基づき、投写部１９０から対象物までの距離を決定する。
【００３８】
そして、画像情報生成部１７０は、当該距離と、空間光変調器１９２の液晶パネルの解像度と、記憶部１６０に記憶されたものさし画像３０用の画像データに基づき、適切な目盛りを示すものさし画像３０を表示するための画像情報を生成する。より具体的には、画像情報生成部１７０は、距離から液晶パネルの１００ピクセルがものさし画像３０の１０ｃｍに相当するといった判定を行うことができる。また、画像情報生成部１７０は、距離だけでなく、画角調整値（ズーム倍率）を考慮して上記判定を行ってもよい。
【００３９】
投写部１９０は、画像情報に基づき、対象物へ向けものさし画像３０を投写する（ステップＳ３）。
【００４０】
以上のように、本実施例によれば、投写装置１０は、対象物までの距離に基づいて寸法が調整されたものさし画像３０を対象物へ向け投写することにより、対象物の寸法を簡易かつ効率的に提示することができる。
【００４１】
また、本実施例によれば、投写装置１０は、画角調整値に基づいて画像情報を生成することにより、ズーム投写が行われた場合であっても、対象物の寸法を正確に提示することができる。
【００４２】
また、本実施例によれば、投写装置１０は、複数の異なる方向（例えば、縦方向と横方向等）の寸法を同時に提示することができるため、対象物の寸法を効率的に提示することができる。例えば、従来の手法では、棚２０を計測する場合、ユーザーは、棚２０の縦の長さを測定した後、横の長さを測定する必要があるが、本実施例の投写装置１０によれば、ユーザーは、棚２０の縦と横の長さを同時に測定することができる。
【００４３】
また、投写装置１０は、一般的なプロジェクタのような画像処理が必要とされるものではないため小型化できる。すなわち、投写装置１０は、例えば、ハンディタイプのスピードガンのような形状であってもよい。ユーザーが投写装置１０のグリップの引き金部分を引くことにより、操作部１８０が画像情報生成部１７０にものさし画像３０の画像情報の生成を指示する。
【００４４】
このように、投写装置１０は小型化できるため、ユーザーは、簡易にものさし画像３０を投写することができる。
【００４５】
なお、本発明は、上述した実施例に限定されず、種々の変形が可能である。
【００４６】
例えば、投写部１９０は、画像情報生成部１７０によって決定された投写距離に基づいてものさし画像３０の明るさを調整して投写してもよい。より具体的には、例えば、駆動部１９４が、レンズ１９８の開口率を調整することにより、ものさし画像３０の明るさを調整してもよい。
【００４７】
これによれば、投写装置１０は、対象物までの距離に基づいて明るさが調整されたものさし画像３０を投写することにより、より見やすいものさし画像３０を投写することができる。
【００４８】
なお、ものさし画像３０の目盛りは図２に示す例に限定されず、例えば、１ｃｍごと、１ｍごとのように対象物の大きさに応じて調整可能である。また、ものさし画像３０の目盛りは、例えば、画像の中央を原点として縦、横に表示されるものであってもよいし、画像の対角線に表示されるものであってもよい。また、ものさし画像３０の目盛りは、一方向に表示されるものであってもよいし、３方向（例えば、縦、横、対角線等）以上の異なる方向に表示されるものであってもよい。
【００４９】
また、投写装置１０に撮像部を設け、対象物のみにものさし画像３０が投写されるように、画像情報生成部１７０が撮像部の撮像情報に基づいて画像情報を生成したり、画角制御部１９９が画角を制御したりしてもよい。
【００５０】
また、上述した実施例では、投写装置１０は、画角調整値を用いているが、画角調整値を用いなくてもよい。
【００５１】
また、対象物は、棚２０に限定されず、例えば、建物のように棚２０より大きな物であってもよいし、テレビのように棚２０より小さな物であってもよい。
【図面の簡単な説明】
【００５２】
【図１】本実施例における対象物である棚を示す図である。
【図２】本実施例における棚にものさし画像が投写された状態を示す図である。
【図３】本実施例における投写装置の機能ブロック図である。
【図４】本実施例におけるものさし画像投写処理の流れを示すフローチャートである。
【符号の説明】
【００５３】
１０  投写装置、２０  棚（対象物）、３０  ものさし画像、１７０  画像情報生成部、１９０  投写部
【図１】
2007205915.tif 000003
【図２】
2007205915.tif 000004
【図３】
2007205915.tif 000005
【図４】
2007205915.tif 000006